Podtech/llm-jp-corpus-v4-ja_patent huggingface dataset:
(57)【要約】【課題】簡単な構成で膜電極接合体にかかる面圧を均一にすることを目的とする。【解決手段】燃料電池１０であって、発電ユニット２０と、面圧付与板５０とを交互に備え、前記発電ユニット２０は、膜電極接合体２００と、前記膜電極接合体２００の両面に配置されるガス拡散層３００と、前記膜電極接合体２００と前記ガス拡散層３００とを挟むセパレータプレート４００と、を備え、前記面圧付与板５０は、前記発電ユニット２０を曲げて変形させるための複数の突起５００を備える。【選択図】図１
2010123307.tif 000002
【特許請求の範囲】
【請求項１】
燃料電池であって、
発電ユニットと、面圧付与板とを交互に備え、
前記発電ユニットは、
膜電極接合体と、
前記膜電極接合体の両面に配置されるガス拡散層と、
前記膜電極接合体と前記ガス拡散層とを挟むセパレータプレートと、
を備え、
前記面圧付与板は、前記発電ユニットを曲げて変形させるための複数の突起を備える、
燃料電池。
【発明の詳細な説明】
【技術分野】
【０００１】
本発明は燃料電池に関する。
【背景技術】
【０００２】
燃料電池の膜電極接合体にかかる面圧にバラツキがあると、膜電極接合体の耐久性が低下する。燃料電池の膜電極接合体にかかる面圧の管理を容易化できる技術として、燃料電池の隣り合うセル間に接着剤層を設けた燃料電池が知られている（特許文献１）。
【０００３】
【特許文献１】特開２００５−１９０７０６号公報
【発明の開示】
【発明が解決しようとする課題】
【０００４】
しかし、従来の技術では、冷媒の流路の確保が難しいという問題があった。
【０００５】
本発明は上記課題の少なくとも１つを解決し、簡単な構成で膜電極接合体にかかる面圧を均一にすることを目的とする。
【課題を解決するための手段】
【０００６】
本発明は、上述の課題の少なくとも一部を解決するためになされたものであり、以下の形態または適用例として実現することが可能である。
【０００７】
［適用例１］
燃料電池であって、発電ユニットと、面圧付与板とを交互に備え、前記発電ユニットは、膜電極接合体と、前記膜電極接合体の両面に配置されるガス拡散層と、前記膜電極接合体と前記ガス拡散層とを挟むセパレータプレートと、を備え、前記面圧付与板は、前記発電ユニットを曲げて変形させるための複数の突起を備える、燃料電池。
この適用例によれば、複数の突起でセパレータを押すので、簡単な構成で膜電極接合体にかかる面圧を均一にすることが可能となる。また、突起により面圧付与板とセパレータの間に空間を生じさせることができ、かかる空間に冷媒を流すことが出来るので、冷媒の流路の確保も容易である。
【０００８】
なお、本発明は、種々の形態で実現することが可能であり、例えば、燃料電池の他、膜電極接合体にかかる面圧を均一にする方法等、様々な形態で実現することができる。
【発明を実施するための最良の形態】
【０００９】
図１は、本発明の一実施例にかかる燃料電池の断面を示す説明図である。燃料電池１０は、発電ユニット２０と、面圧付与板５０とを備える。ここで、発電ユニット２０と面圧付与板５０とは、交互に配置されている。
【００１０】
発電ユニット２０は、膜電極接合体２００と、ガス拡散層３００と、セパレータプレート４００を備える。膜電極接合体２００は、電解質膜２１０と、触媒層２２０とを備える。電解質膜２１０として、固体高分子材料、例えば、パーフルオロカーボンスルホン酸ポリマなどのフッ素系樹脂からなるプロトン伝導性のイオン交換膜を用いることが可能である。触媒層２２０は、電解質膜２１０の両面に形成されている。触媒層２２０としては、電気化学反応を促進する触媒、例えば、白金触媒、あるいは白金と他の金属とからなる白金合金触媒をカーボンに担持した触媒層を用いることが可能である。
【００１１】
ガス拡散層３００は、膜電極接合体２００の両面に配置されている。ガス拡散層３００としては、例えば、不織布により形成されたカーボンクロスやカーボンペーパーを用いることが可能である。また、ガス拡散層３００として、樹脂製の多孔体を用いることも可能である。ただし、樹脂製の多孔体を用いる場合には、曲げることが可能であることが好ましく、厚さ方向の電気伝導性を持つように、金属メッキや金属等でできた電導部材部分を形成する必要がある。セパレータプレート４００は、膜電極接合体２００とガス拡散層３００とを挟む板状部材である。セパレータプレート４００は、例えば、金属製のプレートで出来ている。セパレータプレート４００は、力を加えてセパレータプレート４００を曲げても、力を抜けばセパレータプレート４００の形状が元の平板に戻る復元性、バネ性を備えていることが好ましい。
【００１２】
面圧付与板５０は、２つの発電ユニット２０の間に配置されている。面圧付与板５０として、例えば金属製の平板を用いることが可能である。面圧付与板５０は、両面に突起５００を備える。突起５００は、発電ユニット２０と面圧付与板５０とを交互に配置して燃料電池１０を締結したとき、発電ユニット２０を曲げるために用いられる。突起５００の形状として、棒状の突起、帯状の突起など様々な形状の突起を用いることが可能である。突起５００は、面圧付与板５０に均等に配置されていることが好ましい。これにより発電ユニット２０に均等に面圧を加えることが可能となる。すなわち、膜電極接合体２００にかかる面圧を均一にできる。
【００１３】
また、突起５００は、面圧付与板５０の同じ位置から両側の発電ユニット２０方向に突き出ていることが好ましい。例えば、第１の突起５０１と第２の突起５０２は、面圧付与板５０の同じ位置から両側の発電ユニット２０方向に突き出ている。突起５０１、５０２は、それぞれ接触する発電ユニット２０から反力を受ける。突起５０１が受ける反力と突起５０２が受ける反力は大きさが同じで、向きが逆である。本実施例のように突起５０１、５０２が同じ位置から突き出ていると、突起５０１が受ける反力と突起５０２が受ける反力が釣り合うので、面圧付与板５０が曲がることがない。
【００１４】
突起５００により、発電ユニット２０と燃圧付与板の間には、空間６００が生じる。この空間６００は、冷媒流路として用いることが可能である。
【００１５】
以上、本実施例によれば、簡単な構成で膜電極接合体２００にかかる面圧を均一にすることが可能である。また、本実施例によれば、冷媒流路の確保が容易である。
【００１６】
以上、いくつかの実施例に基づいて本発明の実施の形態について説明してきたが、上記した発明の実施の形態は、本発明の理解を容易にするためのものであり、本発明を限定するものではない。本発明は、その趣旨並びに特許請求の範囲を逸脱することなく、変更、改良され得るとともに、本発明にはその等価物が含まれることはもちろんである。
【図面の簡単な説明】
【００１７】
【図１】本発明の一実施例にかかる燃料電池の断面を示す説明図である。
【符号の説明】
【００１８】
１０…燃料電池
２０…発電ユニット
５０…面圧付与板
２００…膜電極接合体
２１０…電解質膜
２２０…触媒層
３００…ガス拡散層
４００…セパレータ
５００…突起
５０１…第１の突起
５０２…第２の突起
６００…空間
【図１】
2010123307.tif 000003
(57)【要約】【課題】製品の落下や振動等によりプリント基板上に実装された大型コンデンサのハンダ接続部に破損が発生することを防ぐことを目的とする。【解決手段】本発明は、複数個の大型コンデンサ２を一括固定する固定具５にて固定することにより、落下、振動による大型コンデンサの揺れを防止し、ハンダ接続部３に印加される応力を緩和することによりハンダ接続部の破損を防止する大型コンデンサの固定構造とする。【選択図】図１
2010123651.tif 000002
【特許請求の範囲】
【請求項１】
基板上に実装された複数個の大型コンデンサを固定具にて一括固定することにより、落下、振動によりそのハンダ接続部に印加される応力を緩和することを特徴とする大型コンデンサの固定構造。
【請求項２】
前記請求項１の固定具を、緩衝機能を有する材質とすることにより落下、振動によりハンダ接続部に加わる応力をより緩和したことを特徴とする大型コンデンサの固定構造。
【請求項３】
前記請求項１の固定具を基板に固定することを特徴とする大型コンデンサの固定構造。
【請求項４】
前記請求項１の固定具を基板収納箱の一部で形成したことを特徴とする大型コンデンサの固定構造。
【発明の詳細な説明】
【技術分野】
【０００１】
本発明は、電子部品の固定構造に関するものである。
【背景技術】
【０００２】
従来、大型コンデンサの取り付けは金属バンドからなる固定具により基板等にネジ止め固定するものが有る（例えば、特許文献１参照）。
【特許文献１】特開２００１−１９６２６５号公報
【発明の開示】
【発明が解決しようとする課題】
【０００３】
昨今のはんだ接続部の劣化を原因とする市場での発火、発煙問題は深刻であり、又、鉛フリーハンダの使用による、ハンダ接続部の強度低下も懸念されている、ハンダ接続部の劣化は、機器使用中のハンダ接続部温度の上昇、冷却の繰り返しで発生することは知られているが、機器の運搬時の振動、落下衝撃によりハンダ接続部に損傷を受けたものは、比較的短時間の使用によるハンダ接続部の温度の上昇、冷却にて電気的な接続が不安定となり、機器の不動作やハンダ接続部の異常温度上昇による発煙、発火を引きこす等の問題を有していた。
【０００４】
大型コンデンサは、必要とされるコンデンサ容量と、基板上のスペースおよび基板が収納される収納箱の形状とのバランスによりコンデンサ容量が低い部品を複数個並列接続し、必要とされるコンデンサ容量を実現する場合が有るが図５に示すようにその形状、重量により振動、落下衝撃による上部の揺れが大きく、そのためハンダ接続部への影響が大きく、しばしばハンダ接続部に亀裂が発生し改善を要していた。
【０００５】
本発明は、前記従来の課題を解決するもので、基板上に実装された複数個の大型コンデンサを固定具にて一括固定することにより、落下、振動によりハンダ接続部に印加される応力を緩和することを目的とする。
【課題を解決するための手段】
【０００６】
前記従来の課題を解決するために、本発明の大型コンデンサの固定構造は、基板上に実装された複数個の電子部品を固定具にて一括固定することにより、落下、振動による大型コンデンサのハンダ接続部に印加される応力を緩和するものである。
【発明の効果】
【０００７】
本発明の大型コンデンサの固定構造は、複数個の大型コンデンサを一括固定する固定具にて固定することにより、落下、振動による大型コンデンサの揺れを防止し、大型コンデンサのハンダ接続部の劣化を防止することが出来る。
【発明を実施するための最良の形態】
【０００８】
第１の発明は、基板上に実装された複数個の大型コンデンサを固定具にて一括固定することにより、落下、振動によりハンダ接続部に印加される応力を緩和することが可能となる。
【０００９】
第２の発明は、前記第１の発明の固定具を緩衝機能を有する材質とすることにより落下、振動によりハンダ接続部に加わる応力を緩和することが可能となる。
【００１０】
第３の発明は、前記、第１の発明に記載の固定具を基板に固定することにより、落下、
振動による固定具のズレを防止することが可能になる。
【００１１】
第４の発明は、前記第１の発明の固定具を基板収納箱と一体で形成することにより材料費、部品点数を削減することが可能となる。
【００１２】
（実施の形態１）
以下、本発明の実施の形態について図面を参照しながら説明する。
【００１３】
図１は本発明の第１の実施形態を説明する側面図、図２はその上面図で、銅箔による回路パターンが形成されたプリント基板４上に各種電子電気部品１、大型コンデンサ２が実装され、ハンダによるハンダ接続部３で個々の部品とプリント基板４を電気的に接続している。
【００１４】
５は固定具でプリント基板４に実装された大型コンデンサ２に一括勘合固定されている。この構造により、落下、振動による大型コンデンサ２上部の揺れを抑制しハンダ接続部３に加わる応力を緩和することが出来る。
【００１５】
（実施の形態２）
本発明の第２の実施形態は、前記実施の形態１にて説明した固定具５の材質を緩衝機能を有する材質とすることにより落下、振動によりハンダ接続部に加わる応力をより緩和することが可能となる。
【００１６】
（実施の形態３）
図３は本発明の第３の実施形態を説明する側面図で、前記実施の形態１で説明した固定具５の一部に固定爪６を形成し、その固定爪６によりプリント基板４に固定することで落下、振動による固定具のズレを防止することが可能になる。
【００１７】
（実施の形態４）
図４は本発明の第４の実施形態を説明する側面図で、前記実施の形態１で説明した固定具を、プリント基板４を収納する収納箱の一部に形成することにより材料費、部品点数を削減することが可能となる。
【産業上の利用可能性】
【００１８】
以上のように、本発明の大型コンデンサの固定構造は、プリント基板上に実装された複数個の大型コンデンサを固定具にて一括固定することにより、落下、振動によりハンダ接続部に印加される応力を緩和することが可能となりハンダ接続部の劣化を防止し機器の不動作及び、接続部よりの発火、発煙を防止する構造を提供出来るものであり、空気調和機等の各種電子・電気機器に適用することができる。
【図面の簡単な説明】
【００１９】
【図１】本発明の実施の形態１、２における大型コンデンサ固定構造の側面図
【図２】本発明の実施の形態１、２における大型コンデンサ固定構造の上面図
【図３】本発明の実施の形態３における大型コンデンサ固定構造の側面図
【図４】本発明の実施の形態４における大型コンデンサ固定構造の側面図
【図５】従来の大型コンデンサの取り付けによる振動、落下衝撃時の大型コンデンサの挙動を示す図
【符号の説明】
【００２０】
１  各種電気電子部品
２  大型コンデンサ
３  はんだ接続部
４  プリント基板
５  固定具
６  固定爪
７  収納箱Ａ
８  収納箱Ｂ
【図１】
2010123651.tif 000003
【図２】
2010123651.tif 000004
【図３】
2010123651.tif 000005
【図４】
2010123651.tif 000006
【図５】
2010123651.tif 000007
(57)【要約】【課題】機器の騒音を低減させるリアクタとする。【解決手段】互いに突き合わされ積層されたＥ型鉄心１とＩ型鉄心２を有し、積層されたＥ型鉄心１の中央磁脚１ａとこれに対向配置されたＩ型鉄心２との間にインダクタンスの電流特性を調整するエアーギャップが形成され、前記積層されたＥ型鉄心１の中央磁脚１ａの周囲にコイル３が絶縁紙４を介して巻装され、前記エアーギャップにＨ型形状のスペ−サ５を配され、ワニス含浸することにより、エアーギャップ部の磁気フリンジングによるＥ型鉄心１とＩ型鉄心２間に発生する磁気振動を機械的に抑制させ、前記を要因とする騒音を低減したものである。【選択図】図１
2010123650.tif 000002
【特許請求の範囲】
【請求項１】
互いに突き合わされ積層されたＥ型鉄心とＩ型鉄心を有し、積層されたＥ型鉄心の中央磁脚とこれに対向配置されたＩ型鉄心との間にインダクタンスの電流特性を調整するエアーギャップが形成され、前記積層されたＥ型鉄心の中央磁脚の周囲にコイルが絶縁紙を介して巻装され、前記エアーギャップにＨ型形状のスペ−サを配され、ワニス含浸されたリアクタ。
【発明の詳細な説明】
【技術分野】
【０００１】
本発明は、インバータエアコン等の力率改善に用いられるリアクタに関するものである。
【背景技術】
【０００２】
従来、この種のリアクタとしては、エアーギャップに配するスペ−サを矩形状としていた。（特許文献１参照）。図３は前記文献に記載された従来のリアクタの斜視図を示すものであり、図４はその側面断面図を示すものである。図３、図４において、積層されたＥ型鉄心１の中央磁脚１ａの周囲に絶縁手段を構成する絶縁紙４を配されたエナメル電線からなるコイル３が巻装され、前記積層されたＥ型鉄心１とＩ型鉄心２をエアーギャップが形成されるよう突き合わせ、前記エアーギャップに矩形状のスペ−サ５を配され、溶接固定し、ワニス含浸されていた。
【特許文献１】実開平６−３１１２２号公報（図１３）
【発明の開示】
【発明が解決しようとする課題】
【０００３】
しかしながら、前記従来の構成では、力率改善を更に効果的にさせるパルスを重畳させた交番電流流入時、パルス電流重畳時間において、磁路内の磁束量の急激な増加が起こり、エアーギャップ部の磁気フリンジングが増大するため、対向する積層されたＥ型鉄心とＩ型鉄心間に発生する湾曲磁界によるＮＳ磁気吸引力が増大し、鉄心の磁気振動が大きくなり、前記を要因とした機器の騒音が大きいと言う課題を有していた。
【０００４】
本発明は、前記従来の課題を解決するために、エアーギャップに配するスペ−サをＨ型形状とし、機器の騒音を低減するリアクタを提供することを目的とする。
【課題を解決するための手段】
【０００５】
前記課題を解決するために本発明のリアクタは、対向する積層されたＥ型鉄心とＩ型鉄心間のエアーギャップにＨ型形状のスペ−サを配する構造とするものである。
【発明の効果】
【０００６】
本発明のリアクタは、機器の騒音を低減することができる。
【発明を実施するための最良の形態】
【０００７】
本発明は、対向する積層されたＥ型鉄心とＩ型鉄心間のエアーギャップにＨ型形状のスぺ−サを配することにより、機器の騒音を低減することができる。
【０００８】
以下、本発明の実施の形態について図面を参照して説明する。なお、本実施の形態によって本発明が限定されるものではない。
【０００９】
（実施の形態１）
図１は本発明の実施の形態１におけるリアクタの側面断面図を示すものであり、図２は本発明の実施の形態１におけるエアーギャップ部磁気フリンジングの説明図を示すものである。図１、図２において、図３と同じ構成については同じ符号を用い、説明は省略する。
【００１０】
図１、図２において、電磁鋼板のフ−プを連続金型にて、公知で歩留まりが優れる方法で打ち抜いた板厚０．５ｍｍのＥ型鉄心１を積層した鉄心を構成し、前記Ｅ型鉄心１を積
層した鉄心中央磁脚１ａ上面のエアーギャップ部にＨ型形状のＰＰＳ等の絶縁材からなるスペ−サ５を配した上、中央磁脚１ａの周囲に芳香族ポリアミド紙等の絶縁紙４を巻き付けたエナメル電線からなるコイル３を巻装し、積層したＥ型鉄心１の中央磁脚１ａとこれに対向配置した前記連続金型で打ち抜いた板厚０．５ｍｍのＩ型鉄心２を積層した鉄心を形成し、積層したＥ型鉄心１とＩ型鉄心２の２ヶ所の突き合わせ部を溶接等の方法で固定し、不飽和ポリエステル等の熱硬化性ワニスにて、含浸処理をする。
【００１１】
これにより、鉄心の積層厚みばらつきは、前記板厚未満にできることから、スペ−サと鉄心積層方向間の隙間が発生しても、前記隙間に熱硬化性ワニスが充填されており、リアクタの磁路を形成するエアーギャップ部の磁気フリンジングより発生するＥ型鉄心およびＩ型鉄心の積層方向側の湾曲ＮＳ磁気吸引力をスペ−サにて、機械的に抑制することができる。その結果、公知のリアクタ大型化およびコストアップとなるＥ型鉄心の中央磁脚の断面積を大きくする等の鉄心平均磁束密度を低下させ、磁気フリンジングを低下させることなく、磁気騒音を低減できる。
【００１２】
さらに、Ｈ型形状のスペ−サは絶縁材であり、鉄心とコイル間に装着していることから、鉄心積厚方向のスペ−サ厚みを法規で規定される絶縁距離以上にすることにより、製造上のコイル挿入時に発生する絶縁距離ばらつきを考慮する必要がなく、鉄心積厚方向のコイル内径を最小にできるため、導体使用量削減および抵抗値の減少による低損失化の効果もある。
【産業上の利用可能性】
【００１３】
本発明のリアクタは、エアーギャップ部からの磁気振動による騒音を低減することができるため、積層鉄心を使用した機器用のインダクタの用途にも適用できる。
【図面の簡単な説明】
【００１４】
【図１】本発明の実施の形態１におけるリアクタの側面断面図
【図２】本発明の実施の形態１におけるエアーギャップ部磁気フリンジングの説明図
【図３】従来のリアクタの斜視図
【図４】従来のリアクタの側面断面図
【符号の説明】
【００１５】
１  Ｅ型鉄心
１ａ  Ｅ型鉄心中央磁脚
２  Ｉ型鉄心
３  コイル
４  絶縁紙
５  スペ−サ
６  磁力線
【図１】
2010123650.tif 000003
【図２】
2010123650.tif 000004
【図３】
2010123650.tif 000005
【図４】
2010123650.tif 000006
(57)【要約】【課題】    断線した電気コ−ドを結線して、雨の日や水溜り浸かつても、漏電や感電しない様に、防水加工する。【解決手段】    断線した電気コ−ド３を、カバ−１で左右の電気コ−ドを結線して、外部カバ−２に入れ、コ−キング４を入れて、防水加工する。【選択図】図１
2010123559.tif 000002
【特許請求の範囲】
【請求項１】
断線した電気コ−ドを結線し。コ−キングして、カバ−で覆い、防水加工するセット、
【発明の詳細な説明】
【発明の詳細な説明】
【０００１】本発明は、断線した電気コ−ドを結線し、結線した部分をコ−キングして、外部カバ−に入れ、再度コ−キングして、カバ−を覆い、防水加工するものである。
【０００２】従来、電気コ−ドが断線した場合、結線して、ビニ−ルテ−プ等で巻いて補修して使用していましたが、雨が降ったり水溜り等に、電気コ−ドが浸かると、漏電してブレ−カ−が落ちたり、感電したりした、
又、工事現場等でビニ−ルテ−プ等で補修した電動工具を使用すると、雨の日等は、ブレ−カ−が度々落ち作業効率が悪くなっていた。
【０００３】本発明は、断線した電気コ−ド３を、カバ−１で左右の電気コ−ドを結線して、外部カバ−２に入れ、コ−キング４を入れて、外部カバ−２を覆い、防水加工したものである、
【０００４】このようにすれば、雨の日や、水溜りがあっても、工事現場などで、電気コ−ドによる漏電が減り、作業効率が良くなる、
【図面の簡単な説明】
【図１】  横からの断面図である、
【図２】  縦からの断面図である、
【符号の説明】
１    カバ−
２    外部カバ−
３    電気コ−ド
４    コ−キング
【図１】
2010123559.tif 000003
【図２】
2010123559.tif 000004
(57)【要約】【課題】  既設のガソリンスタンドの照明をＬＥＤに替えることで、消費電力の減少、ＣＯ２ガスの削減を図り、地球温暖化防止と地球環境の保全に貢献する。【解決手段】  高出力マルチチップＬＥＤとミラーを組合せて発光体を形成し、この発光体を複数個並べて一単位とし、これを組合せて従来の蛍光灯と同等の配光と明るさを確保させてガソリンスタンドの照明に使用する。【選択図】図１
2010123557.tif 000002
【特許請求の範囲】
【請求項１】
配線機器を内装した箱体（１０）上に片開きで開閉する蓋体（１１）を設け、該蓋体（１１）上に、椀状に形成したＬＥＤカバー（４）の内面に鏡面加工したミラー（３）を設け、この底面にＬＥＤ（１）を配した光源体Ａを並列して設けた箱体Ｂを複数個設けて照度を維持したことを特徴とした天井面に設置するガソリンスタンド用のＬＥＤ照明装置。
【発明の詳細な説明】
【技術分野】
【０００１】  本発明は省エネ、環境の良化を目的としたＬＥＤ使用のガソリンスタンドの照明用灯具に関する。
【背景技術】
【０００２】  日本国内道路が整備され、道路沿いには数多くのガソリンスタンドが存在している。また車社会の中では、このガソリンスタンドが移動のための一種のオアシス的存在でもある。このため多くのスタンドでは夜間の営業も多くあって、この照明には人目を引くように明るくしていることが普通である。そしてこの照明には蛍光灯を使用している。【０００３】  近頃、省エネ、地球温暖化防止等盛んに叫ばれ、蛍光灯からＬＥＤ（発光ダイオード）に移行してきている傾向にある。これはＬＥＤの欠点であった光力の改良に伴なって立ち上って来た傾向があり、蛍光灯に較べて消費電力が１／４といわれ、寿命も７倍という有利な点にある。
【特許文献１】  特開２００５−１８３０７７号公報
【発明の開示】
【発明が解決しようとする課題】
【０００４】  本発明は蛍光灯を数多く使って照明を明るくしているガソリンスタンドの照明を、ＬＥＤに換えるために適したＬＥＤ照明灯具を提供する。
【課題を解決するための手段】
【０００５】  発明者らはこの点に鑑み鋭意試作研究を繰返し、本発明に到達したものであって、この発明は、ＬＥＤを光源として使用しながら十分な照明が得られること、メンテナンスが容易なことに重点をおいて本発明を開発したものである。添付図面について、この要部を説明すると、図１において本発明の灯具は、天井（図示していない）に設置するもので、図は見上げたときの正面図であり、図示するように４群の光源箱（２）が設置され、この光源箱（２）内にＬＥＤ光源Ａが６個設置され、ＬＥＤはそれぞれ鏡面加工された椀状体の中にあって十分な照度が得られる。【０００６】  また図５を参照して光源が設置されている蓋（１１）は箱本体（１０）に対して図示しているように片開きに下方に開くため、ＬＥＤ光源Ａを蓋（１１）の裏面から修理点検ができるというメンテナンスの容易性を具備している。
【発明の効果】
【０００７】  前述のように本発明によるＬＥＤ発光体を使用したガソリンスタンド天井面に設ける灯具は、従来の蛍光灯による照明に比較して光度においては劣ることなく、しかも地球環境の保護に大きな効果を発揮できる。
【実施例】
【０００８】  添付図面により本発明を説明すると、図１は本発明の灯具の正面図であって、本発明はガソリンスタンドの天井に用いる灯具であるために比較的大形であり、図示してある実施例では１辺が５６ｃｍである正方形の箱型である。図２は図１のＸ−Ｘ断面図を示していて、これによると、点灯に必要な電気機器を箱体（１０）に納め、蓋（１１）を片開きに開閉可能に構成されていることが図５によって理解できる。【０００９】  この蓋（１１）の表面には６個のＬＥＤ電源Ａ群が箱（２）内に納められていて、１単位の光源箱（２）を構成していて、本実施例においては、１灯具に対して４個の光源箱（２）が千鳥状に配置されている。【００１０】  この光源箱（２）内の構造を図３において説明する。図は図１のＹ−Ｙ断面図であって、図によると、４個の光源箱（２）内には図４で示す電源Ａが配列されている。下部の箱体（１０）の中には作動用の電源（黒塗りで表示）が納入されている。図中の符号（８）は天井（図示していない）取付具である。このため実際にはこの図３の灯具は逆になる。【００１１】  図４は電源Ａの構造を示す断面図であって、椀状のＬＥＤベース（４）の内面は鏡面（３）に加工され、この椀状体の底部にＬＥＤを配置する。（５）はミラーカバーである。この電源Ａが前記図３の光源箱（２）の中に６個列設されている。【００１２】  図５は機器を内蔵する箱体（１０）に蓋（１１）が開放されている状態を示した実施例図で、このように本発明の灯具は取付金具（８）によって天井（図示していない）から設置されていて、蓋（１１）は下方に片開きに開放される。したがって蓋（１０）の上面に取付けられているＬＥＤを含めた照明機器の修理点検がし易く、管理が容易となる利点がある。【００１３】  このように本発明のガソリンスタンド用のＬＥＤ照明は、比較的簡単な構造があるため、従来のガソリンスタンドの蛍光灯の照明具に取替え使用することが容易であり、光源体を大型にすることも、小型にすることも各光源箱（２）を増減することが可能であり、さらに十分な照明が得られるためガソリンスタンドの灯具として利用するばかりでなく、天井からの照明具として一般に利用することも可能である。
【産業上の利用可能性】
【００１４】  全国各地の主要道路沿いに存在するガソリンスタンドでは、その存在を目立つように昼夜を問わず明かりがついている。そしてこの殆どが蛍光灯によるものである。この蛍光灯をＬＥＤに置き換えることによって省エネとなりＣＯ２の排出にも削減され少しでも地球温暖化防止に協力できることを考えることで、この発明の利用価値は大きい。
【図面の簡単な説明】
【００１５】
【図１】  本発明灯具のＸ−Ｘ断面図
【図２】  本発明灯具の側面図
【図３】  本発明灯具の内部構造を表わすＹ−Ｙ断面図
【図４】  光源Ａの断面図
【図５】  蓋の開閉を表わす実施例図
【符号の説明】
【００１６】（１）…箱体
（２）…光源箱
（７）…取付け板
（８）…天井固定具
（９）…蝶番
（１０）…箱体
（１１）…蓋
【図１】
2010123557.tif 000003
【図２】
2010123557.tif 000004
【図３】
2010123557.tif 000005
【図４】
2010123557.tif 000006
【図５】
2010123557.tif 000007
(57)【要約】【課題】本発明は、電気コンセント接続部分にちりやほこりが付着して発生するトラッキング現象等の漏電による火災を防止するために提供する。【手段】電源プラグをコンセント内に収納することにより、電極部分へのちり、ほこりの侵入を防ぐことにより、トラッキング現象等の漏電を防止する。  また、コンセントのプラグ格納部にフィットする防塵漏電防止コンセント電気プラグをセットすることで、より完璧な防塵機能を発揮し漏電を防止する。【選択図】図３
2010123555.tif 000002
【特許請求の範囲】
【請求項１】
電気プラグを電気コンセントに差込むとコンセントのプラグ受口が凹み、プラグ本体部分を電気コンセントに格納することで、電源接続部分にちり・ほこりが付着することを防ぐ、防塵漏電防止コンセント。
【請求項２】
ちり・ほこりが侵入しないようコンセントのプラグ挿入口にフィットする防塵漏電防止コンセント用電気プラグ。
【発明の詳細な説明】
【技術分野】
【０００１】  本発明は、電気プラグの大半を電気コンセント内に格納し、電源接続部分をちり、ほこりから守ることによって「トラッキング現象」等の漏電を防止するものである。
また、万能電気プラグは、コンセントのプラグ挿入口にフィットする電気プラグのセットにより、防塵効果は完璧さを増す。
なお、２箇所が９０度屈曲するため、現在一般家庭に設置されているコンセントにも利便的に使用できる。
【背景技術】
【０００２】  電源接続に使用する電気コンセントは、一般住宅では美観、スペース効率等から壁への埋め込みコンセントが多いが、コンセント面が平面に近いことから、プラグをコンセントに差込むと、コンセントとプラグに僅かに隙間が発生し、ちり、ほこりをかぶりやすい構造である。
電気コンセントの電極付近にちり、ほこりなどがたまると、コンセントとプラグの間で火花が発生（トラッキング現象）し、火災が発生することがあり、消防署も注意を呼びかけている。
掃除等の出来にくい屋根裏等の電源接続部には、漏電防止のため接続部分を覆うなどの漏電防止が施されているものがある。
【特許電子図書館】
特許公開２００３−３０３６４１
【特許電子図書館】
特許公開２００３−３２３９３３
【発明の開示】
【発明が解決しようとする課題】  一般家庭の電気コンセントの多くは壁等への取り付けコンセントであり、クーラー、洗濯機、冷蔵庫等の電気製品は常時コンセントに差し込まれたままでの使用が多く、ほこり等によるトラッキング現象等による火災の危険性がある。【０００３】  そのために次のような問題点がある。
（イ）消防署は定期的なほこりの掃除を呼びかけているとおり、ほこりが大敵であり、放      置すると火災の危険がある。
（ロ）屋根裏などの電源接続部分を被覆する漏電防止器具は開発されているが室内には景      観的に適さない。
本発明は、電気プラグをコンセント内に収納することにより電源接続部分をちり・ほこりから守り漏電を防止することで安心・安全な生活に寄与するものである。
【課題を解決するための手段】
【０００４】  本発明は、プラグを挿入すると電気コンセントのプラグ受口が凹み、プラグの大半をコンセント内に収納してちり・ほこりの進入を防止する機能付コンセントである。
本コンセントのみでもちり・ほこりを防止する防塵機能を発揮するが、電気コンセントのプラグ挿入口にフィットする防塵漏電防止コンセント用電気プラグをセットすることで、より完璧な防塵機能を発揮し漏電を防止する。
【発明の効果】
【０００５】  電気プラグの大半を電気コンセント内に収納するため、電源接続部分をちり・ほこりから防護し、常時使用する冷蔵庫、テレビ、電話、エアコン等の電気機器の電気接続用コンセントとして、特に有効である。
電気プラグをコンセント内に収納する構造となるため、コンセントの深さは現状のコ  ンセントに比して深くなるが、多くの用途は一般家庭の壁等への埋め込みコンセントで  あることから、概観的に現状の電気コンセントと相違ない。
【発明を実施するための最良の形態】  以下、本発明の実施の形態を説明する。
（イ）１プラグ収納箱は、一般的に家庭に使用されているコンセントより深くして１プラ      グ収納箱の底部に、２電極盤を設置する。
（ロ）１プラグ収納箱の底に３絶縁バネを設置し、絶縁バネの上部に４電極カバーを取り      付ける。この場合、４電極カバーの上面がコンセント面と面一になるように３絶縁      バネを調整する。
（ハ）４電極カバーとコンセントの隙間からのちり・ほこりの侵入を防ぐため、４電極カ      バーの上に５防塵用ゴムカバーを取り付ける。
（ニ）６電気プラグを防塵コンセントに挿入すると、４電極カバー凹み６電気プラグを防      塵コンセント内に収納する。
【産業上の利用可能性】    この防塵コンセントは、主に家屋の壁、柱部等への埋め込みコンセントに使用し、特  に、冷蔵庫、テレビ、電話、エアコン等の常時差込んで使用する場合の漏電防止に有効  である。
また、電気コンセントのプラグ挿入口にフィットする防塵漏電防止コンセント電気プ  ラグを使用することで、より完璧な防塵機能を発揮し漏電を防止する。
【図面の簡単な説明】
【図１】防塵漏電防止コンセント概念図
【図２】防塵漏電防止コンセント構造図  正面図
【図３】防塵漏電防止コンセント構造図  側面図
【図４】市販コンセントに防塵漏電防止コンセント用電気プラグ使用の概念図
【図５】防塵漏電防止コンセントに防塵漏電防止コンセント電気プラグ使用の概念図
【図１】
2010123555.tif 000003
【図２】
2010123555.tif 000004
【図３】
2010123555.tif 000005
【図４】
2010123555.tif 000006
【図５】
2010123555.tif 000007
(57)【要約】【課題】インターネット社会に即応した寺院利用ネットシステムを構築して門戸を開き、現代社会に於いて門徒（信者）が手軽に本堂等の施設を利用出来る様にして、葬儀、法要など身近な事から利用する事により寺院のすばらしさを知ってもらい、門徒（信者）との絆を深め寺院離れを防ぎ、次世代までも寺院が維持出来るようにする。【解決手段】門徒（信者）に対して、門信徒式葬「絆」ふるさと葬「灯」門信徒法要「洛楽」という同一料金、同一サービス、同一システムを構築し、葬儀、法要をパック方式にする。ネットで検索、予約ができ、使用料、布施料等の支払いを電子化して明朗にする。地域を区画化し各地区に一ヶ寺程度協力寺院を置き、別会場としてパックに組み込み相互協力を保ち遠方の門徒（信者）に対応する。葬儀、法要が重複した場合、協力寺院を別会場として利用できる。使用にあたり、寺院施設、備品に損害保険をかける。【選択図】図１
2010123099.tif 000002
【特許請求の範囲】
【請求項１】
図１・図２・図３・図４・図５・図６・図７・図８を含むインターネット社会に即応した寺院ネットシステム
【発明の詳細な説明】
【技術分野】
【０００１】  広域に散らばる門徒（信者）に対して、門信徒式葬「絆」ふるさと葬「灯」門信徒法要「洛楽」という同一料金、同一サービス、同一システムを構築し、葬儀、法要をパック方式にして、ネットで検索、予約ができ、使用料、布施料の支払いを電子化して明朗にする。パック方式に対処するため宗旨宗派を超えた地域密着型ネットワーク化を計る。
【背景技術】
【０００２】  伝道、各種法要のお知らせの為に葉書、寺院新聞、ホームページによる寺院の故事来歴や各種法要日程を公開している寺院はあるが、それ以上踏み込んで門徒（信者）に対してより良く、門徒（信者）や寺院が本当に切望しているシステムが無かった。
【発明の開示】
【発明が解決しようとする課題】
【０００３】  昨今、観光地の古刹といわれる寺院は観光収入があり潤っているが、他の大多数の寺院は寺院維持の為の寄付行為で門徒（信者）離れが多くなり生活収入さえ滞り、最大の収入源である葬儀は民間葬儀社に取られお経を唱えるだけになり、年忌法要も民間施設の利用が増加し、寺院の境内からは参拝者の姿が消え、また減った収入を確保する為他の職業に従事して僧侶の姿さえ消えてしまい、誰も見向かない伽藍だけがたたずんでいる状態である。本発明は、この課題を解消してまず寺院の境内に人が集まり賑わいを取り戻す為のシステムである。
【課題を解決するための手段】
【０００４】  まず門徒（信者）が一番僧侶を必要とする事は信心とか修行では無く、身内の葬儀、年忌法要である。だいじな親の葬儀でも感情と金銭は別である。精一杯の事をしてあげたいが訳も解らぬままお金を使いたくない。布施がどこそこより少ないと陰口を言われたくない。シキタリを知らないからと言われたくない。
まず僧侶の想いよりも門徒（信者）が切望している葬儀、法要についてシステムを組みネットを使い２４時間誰でも検索、予約ができ、使用料、布施料等の支払いを電子化して明朗に開示することにより金銭的心労が無くなり、また地方のシキタリを図式化する事により恥をかく事が無くなる。門徒（信者）の要望に応え、なおかつ貸す側の寺院要望も取り入れる。その為に葬儀は、パックに布施料、本堂使用料を含んだ門信徒式葬「絆」、他宗派の門徒（信者）であっても利用できるふるさと葬「灯」の２つのパックを創りネット開示する。年忌法要は、門信徒法要「洛楽」というパックを創りネット開示する。
また、遠方の門徒（信者）に対応する為、地域を区画化し各地区に一ヶ寺程度協力寺院をつくり、別会場としてパックに組み込み相互協力を保ち、宗旨宗派を超えた地域密着型ネットワーク化を計り、同一料金同一サービスを徹底して完全平等化する。利点として葬儀、法要が重複した場合、協力寺院を別会場として利用でき、柔軟性が確保できる。
【発明の効果】
【０００５】  ネットを利用し図６のように何時でも検索出来る為、早めに準備が出来るようになる。時間を気にせずメールで質問、回答ができ、日程が組みやすくなり、また内容が残る為間違いがなくなる。次に図２・図３のようにホームページ上に図式化してシステムを分かり易く説明する。そして図４のようにネットバンキングで支払いすることにより布施料、葬儀料金等、金銭授受の明確化が図れる。図７・図８のように法友会と寺院や葬儀社との契約を明確化して同一料金同一サービスを徹底して完全平等化する。
【発明を実施するための最良の形態】
【０００６】  図５の協力寺院○○寺のホームページ上に、各寺院で門信徒の為の小さなネットワークを構築し、それらを包括する図１のような協力企業も含めた法友会という大きなネットワークを構築する。そして全てをネット上で公開して全ての人達が利用出来る様にする。
【図面の簡単な説明】
【０００７】
【図１】包括ネットワーク図を示した図である。
【図２】門信徒式葬「絆」ふるさと葬「灯」の仕様を示した図である。
【図３】門信徒法要「洛楽」の仕様を示した図である。
【図４】一連の流れとネットバンキング利用による金銭授受ルートを示した図である。
【図５】協力寺院○○寺のネットワークを示した図である。
【図６】ネット検索の仕方を示した図である。
【図７】協力寺院との「絆」「灯」契約事項例を示した仕様図である。
【図８】協力葬儀社との「洛楽」契約事項例を示した仕様図である。
【符号の説明】
【０００８】図４
１葬儀依頼
依頼者が協力葬儀社に葬儀の依頼をする。
２僧侶依頼
協力葬儀社より法友会事務所に僧侶の依頼をする。
３出向要請
法友会事務所より、協力寺院に葬儀の出向依頼をする。
４受注確認書
法友会事務所より、協力葬儀社に受注確認書を送る。
５出向
当日、協力寺院の僧侶は法友会事務所より依頼された葬儀に出向く。
６情報提供の依頼
依頼者より、法要等に関する情報提供の依頼を受けた時は、法友会事務所より協力企    業に情報の提供を依頼する。
７請求・集金
協力葬儀社が依頼者に葬儀代の請求・集金を行う。
８情報提供
協力企業は施主（依頼者）に法要等に関する情報の提供を行う。
９ネット送金
協力葬儀社より、法友会事務所に布施料等をネット送金する。
１０仲介手数料の支払
協力企業は、施主（依頼者）から注文を受けた時は、法友会事務所に仲介手数料をネ    ット送金する。
１１布施料ネット送金
毎月○○日に、法友会事務所より協力寺院に布施料をネット送金する。
【図１】
2010123099.tif 000003
【図２】
2010123099.tif 000004
【図３】
2010123099.tif 000005
【図４】
2010123099.tif 000006
【図５】
2010123099.tif 000007
【図６】
2010123099.tif 000008
【図７】
2010123099.tif 000009
【図８】
2010123099.tif 000010
(57)【要約】 【課題】     病院や介護現場で利用される使い捨てエプロンは、従来工場で生産され販売ルートを経由して現場に運ばれていた。そもそもはシートに頭を通す穴と、エプロンをくくる紐部分を型抜きで生産するもので、付加価値の低いものだが、生産後のパッキングや単位包装に手間がかかり、コストが上昇していた。また、長さも幾種類かあり、そのための在庫増や管理にも手間がかかっていた。   【解決手段】   それらを解消するため、使用現場に設置できる簡単な使い捨てエプロン製造装置を考案した。使い捨てエプロンは図のようにポリエチレンフィルムなどに、切り込みや穴をあけ、エプロン形状にしてある。本装置では原材料を原反のまま装置にセットし、シートを送り出す間に、（２）の頭を通す部分、（３）のエプロンの紐になる部分を切り抜き、最後に（４）の指定の長さで切断するものである。【選択図】  図１
2010196222.tif 000002
【特許請求の範囲】
【請求項１】
使い捨てエプロンを使用現場で簡単に作れる装置 
【発明の詳細な説明】
【技術分野】
【０００１】
紙および樹脂製の使い捨てエプロン等の製造に関する技術分野である 
【背景技術】
【０００２】
使い捨てエプロンなどの製造技術。主にダイカッター、シートカッターなどと、シート材料などの搬送、位置決めなどが関連する技術である。 
【発明の開示】
【発明が解決しようとする課題】
【０００３】
病院や食品工場、介護現場などで利用される使い捨てエプロンは、従来工場で生産され販売ルートを経由して現場に運ばれていた。そもそもはシートに頭を通す穴と、エプロンをくくる紐部分を型抜きで生産するもので、付加価値の低いものだが、生産後のパッキングや単位包装に手間がかかり、コストが上昇していた。また、長さも幾種類かあり、そのための在庫増や管理にも手間がかかっていた。   
【課題を解決するための手段】
【０００４】
それらを解消するため、使用現場に設置できる簡単な使い捨てエプロン製造装置を考案した。使い捨てエプロンは、図のようにポリエチレンフィルムなどに切り込みや穴をあけ、エプロン形状にしてある。本装置では原材料を原反のまま装置にセットし、シートを送り出す間に、（２）の頭を通す部分、（３）のエプロンの紐になる部分を切り抜き、最後に（４）の指定の長さで切断するものである。（２）の頭を通す部分はＵ字型に切り抜くだけで切り取らない。原反の送り量の管理やカッターの駆動を、マイクロコンピュータでコントロールし、顧客の要望に応じた長さのものを登録でき、ワンタッチで指定のサイズの使い捨てエプロンを即座に送り出すことができる。 
【発明の効果】
【０００５】
この装置を病院などの利用現場に設置することで、必要なときに原反から使い捨てエプロンをつくることができる。長さは任意に変更できるので、何種類ものサイズの在庫を置く必要もない。また、在庫はロール状の原反のみで場所もとらない。なにより一切ゴミの出ない形状なので、メンテナンスはカッターの刃など消耗品の交換だけである。使用時に袋から出したり、引きちぎったりする必要もなく、非常に衛生的でもある。また、個別包装も必要がなく全体としてコストの圧縮ができる。
また医療現場や食品工場で使うためには、使い捨てエプロンの材料だけではなく生産工程にも高度な衛生管理が必要とされるが、本装置については原材料さえ必要な管理が施されていればよく、生産管理にかかるコストも圧縮できる。
【産業上の利用可能性】
【０００６】
現在使い捨てエプロンは、病院や食品工場などで必需品であり、衛生面で優れることから、さらなるコストダウンで利用拡大が計れ、それ以外にも広範な利用範囲が考えられるので、利用可能性は大である。 
【図面の簡単な説明】
【０００７】
【図１】使い捨てエプロンの切り抜き図である。
【符号の説明】
【０００８】
１）材料の紙、ポリエチレンなどのシート
２）頭を通す穴
３）エプロンの紐になる部分
４）切り離し位置
５）原反の流れ方向 
【図１】
2010196222.tif 000003
(57)【要約】      （修正有）【課題】コンパクトにまとめた貴重品を入れる。【解決手段】女性用下着パンテイーの内側に大きめ深い安心ポケットをつける。【選択図】図１
2010196234.tif 000002
【特許請求の範囲】
【請求項１】
女性用下着パンテイーの内側に物が落ちない大きめの深いポケットをつける安心ポケット。
【発明の詳細な説明】
【技術の分野】
【０００１】この発明は、老人の入れ違い物忘れを防ぐものである車の電子キー玄関のキーコンパクトにまとめた貴重品を入れる。
【背景技術】
【０００２】体裁よりも実用を重視した。
【発明の開示】
【発明が解決しようとする課題】
【０００３】トイレの用足しの時でも落ちない出し入れがスピーデイーに運ぶこと。
【課題を解決するための手段】
【０００４】女性用下着パンテイーの内側に大きいポケットをつける。
【発明の効果】
【０００５】スタイルをそこなわない老人の会コーラス等舞台に立つ時でも、サット手早く出し入れ可能、踊っても落ちない。
【発明を実施するための最良の形態】
【０００６】大きく深いめのポケットを要する。
【図面の簡単な説明】
【０００７】
【図１】本発明の前視図
【図２】本発明の原理説明図
【図３】本発明の使用説明図
【符号の説明】
【０００８】１はパンテイー
２は安心ポケット
３は貴重品
４は出し入れ迅速可能
【図１】
2010196234.tif 000003
【図２】
2010196234.tif 000004
【図３】
2010196234.tif 000005
(57)【要約】【課題】  エクステンション施術中分け取った毛束と糸ゴムは、ワゴンの上に並べて置く為、散らばってしまったり、取りにくかったり落としてしまう事があり、スムーズな施術が不可能だった。  本発明は、エクステンション施術をスムーズに行うために、毛束、糸ゴムを止めておけるエクステンション用毛束掛けを提供する。【解決手段】スポンジに均等に複数の切れ目を入れ土台に貼り付け、切れ目の正面に溝をつけ、切れ目と溝の周りが露出するようにして全面に保護カバーを取り付け、土台の背面にフック等の固定具を設ける。【選択図】図１
2010196233.tif 000002
【特許請求の範囲】
【請求項１】
土台に貼り付けたスポンジに均等に複数の切れ目を入れ、各切れ目の正面側に溝をつけ、各切れ目と溝の周りの一定のスペースを除く全表面を保護カバーで覆い、土台の後ろにフック又は磁石等の固定具を付けたエクステンション用毛束掛け。
【発明の詳細な説明】
【技術分野】
【０００１】  本発明はエクステンション技術時に使用するエクステンション用毛束掛けに関するものである。
【背景技術】
【０００２】  従来、エクステンション技術時、分け取った毛束は、主にワゴンの上に並べて施術を行っていました。
なお、長尺状に成形されたコイルばねの隙間にエクステンション用毛束を保持するエクステンション用毛束ハンガーが知られている。（特許文献１参照）。
【特許文献１】  特開２００５−０６０８６３号公報
【発明の開示】
【発明が解決しようとする課題】
【０００３】  エクステンション施術中、分け取った毛束と糸ゴムはワゴンの上に並べて置くだけだった為、１本１本が散らばってしまったり、取りにくかったり落としてしまう事があり、スムーズな施術が不可能だった。
本発明は以上の問題点を解決するためになされたものである。
【問題を解決するための手段】
【０００４】  土台に貼り付けたスポンジに均等に複数の切れ目を入れ、各切れ目の正面側に溝をつけ、各切れ目と溝の周りの一定のスペースを除く表面全体を保護カバーで覆い、土台の背面にフック又は磁石等の固定具を付ける。
以上の構成よりなるエクステンション毛束掛け。
【発明の効果】
【０００５】  従来、不可能とされていたエクステンションのスムーズな施術を、本発明により可能にし、毛束と糸ゴムの両方を傷めることなく取りやすく施術タイムを短縮することができる。又、本発明はスポンジで固定するため、毛束や糸ゴムの太さを選ばない。
【発明を実施するための最良の形態】
【０００６】  以下、本発明の実施の形態を説明する。
（イ）長方形の土台（１）に、適度な硬さのスポンジ（２）を張り付けて、土台（１）と反対側に複数の切れ目（３）を設ける。
（ロ）各切れ目（３）の正面側に、溝（４）を設ける。
（ハ）スポンジ（２）に入れた切れ目（３）と溝（４）が露出するように、保護カバー（５）をかぶせるように取り付ける。
（ニ）土台（１）の背面に、フック（６）又は磁石等の固定具を設ける。
本発明は以上のような構造である。
本発明を使用するときは、作業台（ワゴン）の枠にフック（６）等の固定具を利用して固定しておく。各切れ目（３）に糸ゴム（７）、分け取った毛束（８）の順に差し込み使用する本数だけセットしておく。施術の際には毛束（８）、糸ゴム（７）を引き抜いて使用する。
毛束（８）はスポンジ（２）に挟まれている為、散らばることなく又傷むこともなくスムーズに取り出す事が出来る。
【図面の簡単な説明】
【０００７】
【図１】本発明の斜視図
【図２】本発明の使用状態を示す斜視図
【符号の説明】
【０００８】（１）土台  （２）スポンジ  （３）切れ目  （４）溝  （５）保護カバー
（６）フック  （７）糸ゴム  （８）毛束
【図１】
2010196233.tif 000003
【図２】
2010196233.tif 000004
(57)【要約】      （修正有）【課題】エアカーテンにより雨、雪、霧、粉塵、微小物体、有害物質の暴露から守り、万一、内部に入り込んでもウイルス等を殺菌し、濾過装置で迅速に除去し、冷暖房装置によりで快適な空間を作ることを目的とした帽子に関するものであり、移動時に雨や有害物質が確実に中に入ってこない快適な帽子を提供する。【解決手段】帽子の内側からエアーを吸込み濾過し、殺菌し、冷暖房したエアーを噴出するので、水滴が入ることなく帽子を傘として、雨や有害物質が入らないようにし、快適に用いることができる。【選択図】図１
2010196232.tif 000002
【特許請求の範囲】
【請求項１】
エアカーテンにより雨、雪、霧、粉塵、微小物体、有害物質の暴露から守り、万一、内部に入り込んでもウイルス等を殺菌し、濾過装置で迅速に除去し、冷暖房装置によりで快適な空間を作ることを目的とした帽子。
【発明の詳細な説明】
【技術分野】
【０００１】  本発明はエアカーテンにより雨、雪、霧、粉塵、微小物体、有害物質の暴露から守り、万一、内部に入り込んでもウイルス等を殺菌し、濾過装置で迅速に除去し、冷暖房装置によりで快適な空間を作ることを目的とした帽子に関する。
【背景技術】
【０００２】  帽子を雨の日の移動に雨よけとして使うことは昔から行われていた。しかし、帽子のみでは、真上からの雨からしか守れない問題があった。
また、日中に使用するサンバイザーで有害物質から守るものがあったが、雨から守る用途では考えられておらず、構造からも雨の日に使用すると、雨を吸込んでしまうものであった。
また、野外に固定する傘状の日傘があったが、固定式の日傘なので、雨傘の帽子として被って出歩くことは出来ないものがあった。
本発明は先に出願していた風傘を帽子に取り入れたものである。
【特許文献１】  特開２００８−２１２６０３号公報
【特許文献１】  特開昭６３−３０９２０３号公報
【特許文献２】  特願２００８−３１８９５１号
【発明の開示】
【発明が解決しようとする課題】
【０００３】  移動時に雨や有害物質が確実に中に入ってこない快適な帽子が求められていた。
【課題を解決するための手段】
【０００４】  本発明は帽子の内側からエアーを吸込み濾過し、殺菌し、冷暖房したエアーを噴出するので、水滴が入ることなく帽子を傘として、雨や有害物質が入らないようにし、快適に用いることがでる。
【発明の効果】
【０００５】  本発明は、エアーカーテンを帽子に内蔵するので手に持たなくても外部の雨、雪、霧、粉塵、微小物体、有害物質、寒暖の悪影響から安全領域を作り、内部の者を守ることができる利点がある。
また、本発明は、エアーカーテンであるので視野が邪魔されることもない。
【発明を実施するための最良の形態】
【０００６】  帽子にエアーカーテン、濾過、殺菌、冷暖房の装置を内蔵する。
【図面の簡単な説明】
【０００７】
【図１】  本実施形態に係る風傘帽子の構成図
【符号の説明】
【０００８】１  帽子
２  ファンやコンプレッサ
３  電源装置
４  濾過装置
５  殺菌装置及び冷暖房装置
６  エアーカーテン
【図１】
2010196232.tif 000003